(57)【要約】【課題】配管を地震加速度及び支持構造物の変位へ対応可能に保持できるようにする。【解決手段】配管１の長手方向所要個所に、サポートブロック９とスライド部材１０からなる配管台８を取り付ける。配管軸心方向に所要の長さに延びるストッパー部１４の対向面側に傾斜滑動部１３を設けた左右一対のガイド部材１２を、支持構造物上の支持架構２の支持梁５上に設置し、傾斜滑動部１３に、配管１に取り付けた配管台８を載置する。配管１の温度変化に伴う伸縮は、ガイド部材１２の傾斜滑動部１３上にて配管台８を配管軸心方向にスライドさせて吸収させる。地震加速度作用時は、配管１及び配管台８をガイド部材１２の傾斜滑動部１３上で左右方向へ揺動させ、同時に配管１にねじれを与えることで吸収させる。支持構造物が揺れるときは、配管１に対してガイド部材１２の相対変位で配管１を支持する。【選択図】        図１
2004360812.tif 000002
【特許請求の範囲】
【請求項１】
配管に取り付けられた配管台と、該配管の軸心方向と直角の横方向へ上記配管台を揺動させる滑動部を有し且つ該横方向への配管台の変位量を拘束するようにしたガイド部材とを有し、上記ガイド部材を上記配管を配設すべき支持構造物上に、配管台の幅寸法よりも広い対峙間隔で該配管を横方向から挟むように設置して、該ガイド部材の滑動部上に上記配管台を載置し、配管の軸心方向と直角の横方向へ配管台とガイド部材が相対変位して配管台が揺動できるようにした構成を有することを特徴とする配管ガイドサポート装置。
【請求項２】
配管を横方向から挟むように設置するガイド部材は、配管の軸心方向に延びるストッパー部の内側に、内側へ下り勾配となるように傾斜する直線状又は曲面状の滑動部を形成した構成としてある請求項１記載の配管ガイドサポート装置。
【請求項３】
ガイド部材の滑動部に載置させる配管台に、該ガイド部材への押付力を付与させるような荷重を加えるようにした荷重制御機構を装備させた請求項１又は２記載の配管ガイドサポート装置。
【発明の詳細な説明】
【０００１】
【発明の属する技術分野】
本発明は構造物上にて配管の温度変化に伴う軸心方向の伸縮を許容しながら該配管の横方向への変位を拘束するようにガイドするようにした配管ガイドサポート装置に関するものである。
【０００２】
【従来の技術】
一般に、各種プラント等にて所要の配管を設置する場合は、たとえば、図５（イ）（ロ）にその一例の概略を示す如く、設置すべき配管１の経路に沿って左右（配管１の軸心方向と直角の横方向）に一対の支持桁３を平行に配置して、図示しない建物等の構造物の基礎上に脚部材４を介して設置し、且つ、上記左右の支持桁３の間に支持梁５を水平方向に架け渡して該支持梁５を支持桁３の長手方向に所要間隔で配置すると共に、該各支持梁５をそれぞれ上記左右の各支持桁３に取り付けて配管１を導設するための支持架構２を形成するようにしてある。このように形成されている支持架構２の上記各支持梁５の上側に、設置経路に沿って配した配管１を載置して、任意の支持梁５上に、上記配管１の２個所をアンカー６にてそれぞれ位置固定するようにし、その他の支持梁５上では配管１の横方向への変位を拘束するようにしてある。すなわち、上記配管１は温度変化に応じて伸縮することから、上記アンカー６による配管１の固定位置とは異なる位置の支持梁５上では、配管ガイドサポート装置７により、上記配管１をその軸心方向にスライド可能（変位可能）にガイドさせると共に、配管１の軸心方向に直角な横方向への変位を拘束するようにしてある（たとえば、特許文献１参照）。
【０００３】
かかる配管ガイドサポート装置７としては種々の構成のものがあるが、サドル等の配管台を両サイドで拘束するものとしては、たとえば、上面を上記配管１の外径に合わせて凹状にして配管１の下面を受けるようにしてあるサポートブロック９と、該サポートブロック９の下側に左右方向の両端部がそれぞれ所要寸法ずつ外方に突出するよう一体に取り付けてある平板状のスライド部材１０とからなる配管台（サドル）８と、該配管台８のスライド部材１０の左右方向への変位量を拘束するための拘束部材１１とからなる構成のものがあり、上記配管台８のサポートブロック９を配管１の所要個所に取り付けるようにしてある。一方、上記配管１に配管台８が取り付けてある位置の支持梁５上に、一対の板状の拘束部材１１を、上記配管台８のスライド部材１０の幅寸法とほぼ同様の所要間隔を隔てて立設してなる構成としてある。したがって、配管１に取り付けてある配管台８のスライド部材１０の幅方向両端部を上記左右の拘束部材１１にそれぞれ衝合させることにより、上記配管１の支持架構２に対する左右方向への相対変位を阻止して、該配管１を配管１の軸心方向と直角な左右方向への動きを拘束できるようにしてある。一方、上記配管１に取り付けてある配管台８のスライド部材１０を、支持梁５の上面における左右の拘束部材１１の間の領域にて配管１の軸心方向へ摺動させることにより、配管１の温度変化に伴う伸縮は許容することができるようにしてある。
【０００４】
このように、上記配管ガイドサポート装置７により配管１の長手方向の多数個所を、支持架構２上にてガイドさせるようにしておくことにより、地震等による振動発生時に配管１に加速度が作用して、該配管１が、配管１の軸心方向と直角な左右方向に揺れようとする動き、すなわち、配管１が支持構造物２に対して左右方向に相対変位しようとする動きを阻止することができて、上記地震時の揺れに抗して上記配管１を支持構造物２上にて有効に保持できるようにしてある。
【０００５】
なお、図５（イ）に示したように、アンカー６による位置固定部の間に配管１の屈曲部が存在する場合には、該屈曲部付近における上記配管１の温度変化に伴う伸縮を、図５（イ）に二点鎖線で示す如く、配管１の屈曲部を変形させることにより吸収させることができるようにしてあり、このときの配管１の軸心方向への変位は拘束部材１１の間でガイドできるようにしてある。
【０００６】
【特許文献１】
特開平１１−１９０４６６号公報
【０００７】
【発明が解決しようとする課題】
ところが、上記従来の配管ガイドサポート装置７は、配管１に取り付けてある配管台８の左右方向への移動（変位）を、支持構造物に設置した支持架構２上の拘束部材１１で拘束し、配管１の左右方向への変位を阻止するようにしているため、地震等による振動発生時に配管１自体に作用する加速度に対しては有効である。しかし、たとえば、高さの異なる支持構造物で互いに揺れの大きさが異なるような支持構造物の間に跨って配管１が配設されているような場合には、地震等による振動が発生すると、これら２つの支持構造物上の支持架構２に支持されている配管１には、２つの構造物の異なる変位が作用することになる。このような場合に、それぞれ上記配管ガイドサポート装置７を用いて配管１の軸心方向と直角な左右方向への変位を阻止すべく拘束させている場合には、上記２つの支持構造物間の配管１の変位を吸収することができないという問題がある。
【０００８】
したがって、上記従来の配管ガイドサポート装置７は、地震時に支持構造物上の支持架構２の変位が生じる場合には、配管１の耐震性を低くする方向に働いてしまい、このため、地震時加速度と支持構造物変位の両者を共に満足させるような配管ガイドサポート装置は従来提案されていないというのが実状である。
【０００９】
そこで、本発明は、地震発生時に配管に対して振動による加速度が作用する場合と該配管を支持している構造物の変位による力が作用する場合のいずれの場合であっても、上記配管を有効に保持することができる配管ガイドサポート装置を提供しようとするものである。
【００１０】
【課題を解決するための手段】
本発明は、上記課題を解決するために、配管に取り付けられた配管台と、該配管の軸心方向と直角の横方向へ上記配管台を揺動させる滑動部を有し且つ該横方向への配管台の変位量を拘束するようにしたガイド部材とを有し、上記ガイド部材を上記配管を配設すべき支持構造物上に、配管台の幅寸法よりも広い対峙間隔で該配管を横方向から挟むように設置して、該ガイド部材の滑動部上に上記配管台を載置し、配管の軸心方向と直角の横方向へ配管台とガイド部材が相対変位して配管台が揺動できるようにした構成とする。
【００１１】
地震時の揺れにより配管に対して軸心方向と直角な左右方向（横方向）へ変位させようとする加速度が作用すると、該配管は、配管台を介してガイド部材の滑動部上にて左右方向へ揺動させられる。この際、上記揺動に伴って配管にはねじれが加えられるようになるため、このねじれ量が配管の剛性の限界に達する時点で配管の揺動が制限される。又、上記配管台のガイド部材上における揺動範囲は限定されていることから、上記配管は揺れに対して有効に拘束されるようになる。更に、上記配管を揺動させようと作用する応力は配管をねじりに変換することにより分散されて消費されることから、上記配管は揺れに対して有効に拘束される。
【００１２】
一方、地震時の揺れにより上記ガイド部材を取り付けている支持構造物自体が変位するとき、配管に対してガイド部材が相対変位することとなるが、この配管に対するガイド部材の相対変位は、配管のねじれとして吸収させることができることから、この場合にも、配管は有効に拘束されるようになる。
【００１３】
又、配管を横方向から挟むように設置するガイド部材は、配管の軸心方向に延びるストッパー部の内側に、内側へ下り勾配となるように傾斜する直線状又は曲面状の滑動部を形成した構成とすることにより、配管台をガイド部材上で横方向へ揺動させるとき、配管台を円弧運動させることが確実にできて、配管台の揺動時や構造物の揺れによるガイド部材の相対変位時に配管にねじりを発生させて配管の拘束を容易に実現させることができる。
【００１４】
更に、ガイド部材の滑動部に載置させる配管台に、該ガイド部材への押付力を付与させるような荷重を加えるようにした荷重制御機構を装備させた構成とすることにより、配管台とガイド部材との間に作用する摩擦力を変更できるようになるため、配管の左右方向への揺動のし易さを容易に調整できることから、配管自体の剛性や抑制すべき振動の強度に応じて配管の拘束力を自在に変更することが可能となる。
【００１５】
【発明の実施の形態】
以下、本発明の実施の形態を図面を参照して説明する。
【００１６】
図１（イ）（ロ）及び図２は本発明の配管ガイドサポート装置を示すもので、図５（ロ）に示したと同様に、配管１の長手方向所要個所における周方向の下側に、サポートブロック９とスライド部材１０からなる配管台８を取り付ける。一方、上記配管１の配管台８取付個所と対応する支持架構２の支持梁５上に、配管１の軸心方向に所要の長さを有し且つ上記配管台８を左右方向へ所要範囲内で揺動可能に載置できるようにするための左右一対のガイド部材１２を設けて、該各ガイド部材１２上に、上記配管１に取り付けてある配管台８を、配管１の軸心方向にスライド可能に且つ配管１の軸心方向と直角の横方向（左右方向）へ所要範囲内で揺動可能に載置して配管ガイドサポート装置７ａを構成する。
【００１７】
詳述すると、上記左右の各ガイド部材１２は、対向する面部の下部に、相対向する方向へ下り勾配となるように直線状に傾斜させてある傾斜滑動部１３を設けると共に、該傾斜滑動部１３の上端に連なる対向面部の上部に、互いに平行な垂直面となるストッパー部１４を形成してなる構成としてある。上記左右の各ガイド部材１２は、上記傾斜滑動部１３の下端部同士の間隔が、上記配管台８の下端のスライド部材１０の幅寸法よりも所要寸法狭くなるようにすると同時に、上記ストッパー部１４同士の間隔が、上記スライド部材１０の幅寸法よりも所要寸法広くなるよう所要間隔を隔てた配置として上記支持架構２における所要の支持梁５上に設置させるようにする。該支持梁５上に設置した左右の各ガイド部材１２の傾斜滑動部１３上には、スライド部材１０の幅方向両端部の下側をそれぞれ接触させるようにして配管１に取り付けてある配管台８を載置させるようにする。したがって、スライド部材１０を上記各ガイド部材１２の傾斜滑動部１３上にて配管１の軸心方向にスライドさせるようにすれば、配管１の温度変化に伴う伸縮を吸収させることができるようになり、又、上記スライド部材１０を、上記各ガイド部材１２の傾斜滑動部１３上に沿わせて後述する所要範囲内で左右方向へ摺動させるようにすれば、上記配管台８と一体に配管１を左右方向へ揺動できて配管１にねじりを与えることができるようにしてある。
【００１８】
なお、配管台８のスライド部材１０の幅方向両端部における下側は、角部を丸くして、各ガイド部材１２の傾斜滑動部１３に円滑に沿わせることができるようにしてある。更に、互いに接する上記スライド部材１０の幅方向両端部における下側面と、各ガイド部材１２の傾斜面１３のいずれか一方又は双方の接触面部に、必要に応じて摩擦抵抗の小さいコーティングや部材を設けるようにしてもよい。
【００１９】
その他の構成は図５（イ）（ロ）に示したものと同様であり、同一のものには同一符号が付してある。
【００２０】
上記構成としてある本発明の配管ガイドサポート装置７ａを用いて従来と同様に、配管１のアンカー６による位置固定部間の所要個所を支持させる場合は、図１（イ）に示す如く、支持架構２の支持梁５上の所要個所に設置して配管１をガイドサポートさせるようにする。図１（イ）の状態において、地震により振動が発生して、この振動の加速度が上記配管１に作用すると、該配管１に対しては、配管１を軸心方向と直角な左右方向に揺れさせようとする応力が作用させられる。このような応力が配管１に作用すると、該配管１は、図１（ロ）に実線及び二点鎖線で示した如く、配管台８と一緒に、左右の各ガイド部材１２の傾斜滑動部１３上にて左右方向に揺動させられ、同時に、上記揺動に伴って配管１にねじれが加えられるようになる。このねじれの量が配管１の剛性の限界に達することにより配管１の揺動は止められると共に、上記配管台８のスライド部材１０が左右の各ガイド部材１２のストッパー部１４に衝合することによっても配管１の揺動範囲は確実に限定される。そのため、上記配管１の支持架構２に対する相対変位を抑制することができる。
【００２１】
更に、上記配管１に作用する揺れの応力は、該配管１をねじるための応力として分散させることもできる。したがって、上記地震時の振動発生により配管１に加速度が作用する場合には、上記配管１を有効に保持することができるようになる。
【００２２】
一方、地震による振動発生時に構造物の揺れで支持架構２に変位が生じる場合、すなわち、たとえば、２つの異なる構造物上の各支持架構２に跨って配管１が配設されている状態にて該各支持架構２の揺れ方に差が生じる場合等には、配管１に対してそれぞれの支持架構２に取り付けられているガイド部材１２が変位することとなるため、２つの支持架構２間に跨る配管１には無理な応力が作用することになるが、上記ガイド部材１２は、傾斜滑動部１３上で、配管台８を揺動させることができて、配管１に対してガイド部材１２の相対変位が容易に得られて、配管１を拘束することがなく、したがって、２つの支持架構２の異なる揺れに対しても配管１に無理な応力が作用することがない。
【００２３】
したがって、上記地震発生時に支持架構２の変位が生じたとしても、配管を有効に保持することが可能となる。
【００２４】
このように、本発明の配管ガイドサポート装置７ａによれば、地震発生時に配管１に対して加速度が作用する場合、及び、支持架構２に変位が生じる場合のいずれの場合にも配管１を有効に保持することができる。このため地震時の加速度荷重を拘束すると共に、支持架構２による変位を許容することができることから、支持架構２による変位の大きな部分での配管１の耐震ガイドサポートを行う場合に有効なものとすることができる。
【００２５】
又、配管台８としては、従来用いられている図５（ロ）に示す配管ガイドサポート装置７の配管台８と同様のものを使用できるため、従来の図５（ロ）に示す配管ガイドサポート装置７における拘束部材１１に代えて、本発明の配管ガイドサポート装置７ａにおけるガイド部材１２を設けることにより、該配管ガイドサポート装置７ａを容易に構成することができ、したがって、既設設備の配管１に対し、地震加速度及び支持架構２の変位への対応を可能となるようにさせるための耐震補強を、配管１自体の改造を行うことなく実施できる。
【００２６】
更に、ガイド部材１２の傾斜滑動部１３の傾斜角度を変更すれば、配管１がガイド部材１２の傾斜滑動部１３上で揺動する場合における揺動量と該揺動に伴って生じる配管１のねじれ量との割合を容易に変更できることから、配管１自体の剛性や抑制すべき振動の強度に応じて配管１の拘束力を自在に変更することが可能となる。
【００２７】
次に、図３は本発明の実施の他の形態を示すもので、図１（イ）（ロ）及び図２に示したと同様の構成において、左右の各ガイド部材１２の直線状の傾斜滑動部１３に代えて、配管軸心方向と直角な方向に円弧状に傾斜する曲面状の傾斜滑動部１３ａとしたものである。
【００２８】
その他の構成は図１（イ）（ロ）及び図２に示したものと同様であり、同一のものには同一符号が付してある。
【００２９】
本実施の形態によっても、上記左右のガイド部材の傾斜滑動部１３ａ上で、該傾斜滑動部１３ａに沿って載置した配管台８を配管１の軸心方向と直角な左右方向へ滑らかに揺動させることができることから、上記実施の形態と同様な効果を得ることができる。
【００３０】
次いで、図４（イ）（ロ）は本発明の実施の更に他の形態を示すもので、図１（イ）（ロ）及び図２に示したと同様の構成において、配管台８より各ガイド部材１２の傾斜滑動部１３に加えられる荷重を自在に制御できるようにするための荷重制御機構１５を装備してなる構成としたもので、かかる荷重制御機構１５は、たとえば、以下の構成としてある。
【００３１】
すなわち、配管１に取り付けてある配管台８のスライド部材１０におけるサポートブロック９と干渉しない左右方向の対称位置（図では配管１の軸心方向にはずれた配置としてある）に、配管１の軸心方向に上記配管台８の取り付け位置における配管１の温度変化に伴う伸縮量に対応する長さ寸法を有し、且つ左右方向に、左右のガイド部材１２間における上記配管台８の左右方向への揺動量に対応する幅寸法を備えた矩形の開口部１６を設ける。一方、支持梁５の上側面にて、配管１の最収縮時に上記開口部１６における該配管１の温度変化に伴う伸長方向側端部で、且つ振動の作用していない平常時に上記開口部１６の幅方向の中心部と対応する位置に、垂直に所要寸法延び且つ上端に雄ねじ部（図示せず）を有してなるロッド部材１７を立設して、上記配管台８の開口部１６に貫通させて配置できるようにする。更に、上記配管台８の開口部１６を覆い得る寸法を備え且つ中心部に上記ロッド部材１７の外径よりもやや大きい貫通孔１９を備えた摺動部材１８をスライド部材１０上に載置し、該摺動部材１８の上記貫通孔１９に、上記配管台８の開口部１６の上側に突出しているロッド部材１７を遊嵌状態に挿通させるようにする。更に又、上記ロッド部材１７の外周側に配置したコイルばね２０を、該ロッド部材１７の上端部にナット２２で保持させたワッシャ部材２１と上記摺動部材１８との間に介在させた構成としてある。なお、上記ロッド部材１７に螺着させた上記ナット２２を締め込むことにより、上記ワッシャ部材２１と摺動部材１８との間にて上記コイルばね２０を圧縮させることができるようにしてある。この収縮されたコイルばね２０の伸長方向への弾性力により、上記摺動部材１８を介して配管台８のスライド部材１０を、左右のガイド部材１２の傾斜滑動部１３に上方より押し付け力が付与されるようにしてあり、上記ナット２２の締め込み量を調整してコイルばね２０の圧縮率を調節することにより、該圧縮されたコイルばね２０の伸長方向への弾性力を調節して、上記配管台８のスライド部材１０のガイド部材１２の傾斜滑動部１３に対する押し付け力を自在に調節することができるようにしてある。
【００３２】
その他の構成は図１（イ）（ロ）及び図２に示したものと同様であり、同一のものには同一符号が付してある。
【００３３】
本実施の形態によれば、コイルばね２０により常時スライド部材１０はガイド部材１２の傾斜滑動部１３に押し付けられた状態としてあるので、配管１の拘束を高めることができる。又、上記荷重制御機構１５におけるコイルばね２０の圧縮率を調整することにより、配管台８のスライド部材１０から左右の各ガイド部材１２の傾斜滑動部１３に対して加えられる荷重を自在に制御できるため、上記スライド部材１０と傾斜滑動部１３との間に生じる摩擦力を自在に制御できる。このために、配管１の左右方向への揺動のし易さを容易に調整でき、配管１自体の剛性や抑制すべき振動の強度に応じて配管１の拘束力を自在に変更することが可能となる。
【００３４】
なお、本発明は上記実施の形態のみに限定されるものではなく、配管台８は、上端部を配管に取り付けることができ且つ左右方向両端部の下側を各ガイド部材１２の傾斜滑動部１３に載置して該傾斜滑動部１３に沿わせて摺動させることができるようにすれば、サポートブロック９とスライド部材１０とからなる構成以外の任意の構成のものを採用してよい。荷重制御機構１５は、配管台８のスライド部１０に左右対称位置に設けてもよく、又、配管台８に対し左右方向に均等にガイド部材１２の傾斜滑動部１３方向へ所要の荷重を付与することができるようにし、且つ配管台８のサポートブロック９や配管１自体と干渉しないようにすれば、一つの荷重制御機構１５をスライド部材１０の左右幅方向の中心部に設けるようにしてもよく、更には、配管台８と支持梁５との間に、収縮方向に弾性力を発揮できるようばね等の弾性部材を取り付ける構成等、図示した構成以外のものを採用してもよい。本発明の配管ガイドサポート装置７ａは、支持構造物上に設置した支持架構２の支持梁５上にて配管１をガイドするものとして示したが、配管１の温度変化に伴う伸縮を許容した状態にて該配管１の配管軸心方向と直角な左右方向への揺れを防止できるようにガイドする必要がある個所であれば、いかなる構造物上における配管１の設置個所にも適用してもよい。ガイド部材１２は、左右別体のものとして示したが、左右両端部に所要間隔を隔てて対峙する垂直なストッパー部をそれぞれ備えると共に、該左右のストッパー部の間に、中央部に向けて下り勾配となる直線状あるいは曲面状の滑動面を備えてなる一体構造のものとすることも可能であること、その他本発明の要旨を逸脱しない範囲内において種々変更を加え得ることは勿論である。
【００３５】
【発明の効果】
以上述べた如く、本発明の配管ガイドサポート装置によれば、以下の如き優れた効果を発揮する。
（１）  配管に取り付けられた配管台と、該配管の軸心方向と直角の横方向へ上記配管台を揺動させる滑動部を有し且つ該横方向への配管台の変位量を拘束するようにしたガイド部材とを有し、上記ガイド部材を上記配管を配設すべき支持構造物上に、配管台の幅寸法よりも広い対峙間隔で該配管を横方向から挟むように設置して、該ガイド部材の滑動部上に上記配管台を載置し、配管の軸心方向と直角の横方向へ配管台とガイド部材が相対変位して配管台が揺動できるようにした構成としてあるので、地震発生時に配管に対して加速度が作用する場合、及び、配管を支持できるようガイド部材を取り付けた支持構造物に変位が生じる場合のいずれの場合にも、配管を有効に保持することができる。このため地震時の加速度荷重に対して配管を拘束すると共に、構造物による変位を許容することができることから、支持構造物による変位の大きな部分での配管の耐震ガイドサポートを行う場合に有効なものとすることができる。
（２）  配管台としては、従来用いられている配管ガイドサポート装置の配管台と同様のものを使用できるため、従来の配管ガイドサポート装置における配管台を流用するようにすれば、既設設備の配管に対し、地震加速度及び支持構造物の変位への対応を可能となるようにさせるための耐震補強を、配管自体の改造を行うことなく実施できる。
（３）  配管を横方向から挟むように設置するガイド部材は、配管の軸心方向に延びるストッパー部の内側に、内側へ下り勾配となるように傾斜する直線状又は曲面状の滑動部を形成した構成とすることにより、配管台をガイド部材上で横方向へ揺動させるときや、構造物の揺れでガイド部材が配管に対して相対変位するときに、配管台を円弧運動させることができて、配管にねじれを発生させることがより確実にできて、配管の拘束を有効に行わせることができる。
（４）  上記において、ガイド部材の傾斜滑動部の傾斜角度を変更すれば、配管及び配管台がガイド部材の傾斜滑動部上にて揺動する場合における揺動量と該揺動に伴って生じる配管のねじれ量との割合を容易に変更できることから、配管自体の剛性や抑制すべき振動の強度に応じて配管の拘束力を自在に変更することが可能となる。
（５）  ガイド部材の滑動部に載置させる配管台に、該ガイド部材への押付力を付与させるような荷重を加えるようにした荷重制御機構を装備させた構成とすることにより、配管台とガイド部材との間に作用する摩擦力を変更できるようになるため、配管の左右方向への揺動のし易さを容易に調整できることから、配管自体の剛性や抑制すべき振動の強度に応じて配管の拘束力を自在に変更することが可能となる。
【図面の簡単な説明】
【図１】本発明の配管ガイドサポート装置の実施の一形態を示すもので、（イ）は平常状態を示す概略正面図、（ロ）は地震による振動発生時に配管に加速度が作用した状態を示す概略正面図である。
【図２】図１の装置を示す一部切断概略側面図である。
【図３】本発明の実施の他の形態を示す概略正面図である。
【図４】本発明の実施の更に他の形態を示すもので、（イ）は概略正面図、（ロ）は（イ）の概略平面図である。
【図５】従来の配管支持構造の一例の概略を示すもので、（イ）は平面図、（ロ）は（イ）のＡ−Ａ方向矢視図である。
【符号の説明】
１  配管
２  支持架構（支持構造物）
８  配管台
１２  ガイド部材
１３，１３ａ  傾斜滑動部
１４  ストッパー部
１５  荷重制御機構
【図１】
2004360812.tif 000003
【図２】
2004360812.tif 000004
【図３】
2004360812.tif 000005
【図４】
2004360812.tif 000006
【図５】
2004360812.tif 000007